(57)【要約】      （修正有）【課題】燃料ガスの供給と発電出力との最適化を図り、発電出力の安定化もしくは性能低下の防止を達成する燃料電池システムを提供する。【解決手段】要求発電電力検知部３１で検知された要求発電電力に基づいて、循環ポンプ目標回転数決定部３２で水素循環ポンプの目標回転数を決定し、要求された発電電力に必要な循環水素流量が確保されている場合に、燃料電池システム状態検出部３５で検出された燃料電池の水素出口圧力が低下する程、水素循環ポンプ５の揚程が減少するように目標回転数を補正し、パージにより水素循環系に溜まった不純物を排出可能な水素出口圧力を確保するように構成される。【選択図】図３
2007066622.tif 000002
【特許請求の範囲】
【請求項１】
燃料ガス供給手段により供給される燃料ガスと、酸化剤ガス供給手段により供給される酸化剤ガスとの電気化学反応により発電を行う燃料電池と、
前記燃料電池から排出された未使用の燃料ガスを前記燃料電池に再供給して循環させる循環手段とを備えた燃料電池システムにおいて、
前記燃料電池に要求される発電電力を検知する要求発電電力検知手段と、
前記燃料電池システムの運転の状態を示す運転状態量を検知する運転状態量検知手段と、
前記要求発電電力検知手段で検知された要求発電電力に基づいて、前記循環手段の運転状態を指令する指令手段と、
前記運転状態量検知手段で検知された運転状態量に基づいて、前記指令手段の指令内容を補正する指令補正手段と、
前記指令手段の指令または前記指令補正手段の補正指令に基づいて、前記循環手段の運転状態を制御する制御手段と
を有することを特徴とする燃料電池システム。
【請求項２】
前記運転状態量検知手段は、前記燃料電池の燃料ガス入口圧力と前記循環手段の運転状態との運転状態量を検知し、
前記指令補正手段は、前記運転状態量検知手段で検知された、燃料ガス入口圧力と前記循環手段の運転状態との運転状態量に基づいて燃料ガス出口圧力を推定し、その推定結果と前記循環手段の運転状態とに基づいて補正する
ことを特徴とする請求項１に記載の燃料電池システム。
【請求項３】
前記指令補正手段は、前記燃料電池の燃料ガス出口圧力の推定結果が低下する程、前記循環手段の揚程が減少するように補正する
ことを特徴とする請求項２に記載の燃料電池システム。
【請求項４】
前記指令手段は、前記要求発電電力検知手段で検知された要求発電電力に基づいて、前記燃料ガス供給手段の運転状態を指令し、
前記指令補正手段は、前記運転状態量検知手段で検知された、燃料ガス入口圧力と前記循環手段の運転状態との運転状態量に基づいて燃料ガス出口圧力を推定し、その推定結果に基づいて前記燃料ガス供給手段の運転状態の指令を補正し、
前記制御手段は、前記指令手段の指令または前記指令補正手段の補正指令に基づいて、前記燃料ガス供給手段の運転状態を制御する
ことを特徴とする請求項１に記載の燃料電池システム。
【請求項５】
前記指令補正手段は、前記燃料電池の燃料ガス出口圧力の推定結果が所定の圧力によりも低下した場合には、前記循環手段に対する運転指令の補正を行わない一方、前記燃料電池の燃料ガス出口圧力の推定結果が低下する程、燃料ガス入口圧力が上昇するように前記燃料ガス供給手段の指令を補正する
ことを特徴とする請求項４に記載の燃料電池システム。
【請求項６】
前記運転状態量検知手段は、前記燃料電池の燃料ガス出口圧力の運転状態量を検知し、
前記指令補正手段は、前記運転状態量検知手段で検知された燃料ガス出口圧力に基づいて補正する
ことを特徴とする請求項１に記載の燃料電池システム。
【請求項７】
前記指令補正手段は、前記燃料電池の燃料ガス出口圧力が低下する程、前記循環手段の揚程が減少するように補正する
ことを特徴とする請求項６に記載の燃料電池システム。
【請求項８】
前記指令手段は、前記要求発電電力検知手段で検知された要求発電電力に基づいて、前記燃料ガス供給手段の運転状態を指令し、
前記指令補正手段は、前記運転状態量検知手段で検知された燃料ガス出口圧力の運転状態量に基づいて前記燃料ガス供給手段の運転状態の指令を補正し、
前記制御手段は、前記指令手段の指令または前記指令補正手段の補正指令に基づいて、前記燃料ガス供給手段の運転状態を制御する
ことを特徴とする請求項１に記載の燃料電池システム。
【請求項９】
前記指令補正手段は、前記燃料電池の燃料ガス出口圧力が所定の圧力によりも低下した場合には、前記循環手段に対する運転指令の補正を行わない一方、前記燃料電池の燃料ガス出口圧力が低下する程、燃料ガス出口圧力が上昇するように前記燃料ガス供給手段の指令を補正する
ことを特徴とする請求項８に記載の燃料電池システム。
【請求項１０】
前記運転状態量検知手段は、前記燃料電池の燃料ガス出口圧力と前記燃料電池から取り出される取り出し電流との運転状態量を検知し、
前記指令補正手段は、前記運転状態量検知手段で検知された燃料ガス出口圧力及び取り出し電流の少なくとも一方の運転状態量に基づいて前記循環手段の運転状態の指令を補正することを特徴とする請求項１に記載の燃料電池システム。
【請求項１１】
前記指令補正手段は、燃料ガス入口圧力が低い程または取り出し電流が大きい程循環流量が増加するように補正する
ことを特徴とする請求項１０に記載の燃料電池システム。
【請求項１２】
前記燃料電池から取り出される取り出し電流を制御する電流制御手段を有し、
前記運転状態量検知手段は、前記燃料電池の燃料ガス入口圧力と前記循環手段の運転状態との運転状態量を検知し、
前記指令手段は、前記要求発電電力検知手段で検知された要求発電電力に基づいて、前記電流制御手段の制御内容を指令し、
前記指令補正手段は、前記運転状態量検知手段で検知された燃料ガス入口圧力及び前記循環手段の運転状態の少なくとも一方の運転状態量に基づいて、前記電流制御手段の制御内容の指令を補正する
ことを特徴とする請求項１に記載の燃料電池システム。
【請求項１３】
前記指令補正手段は、燃料ガス入口圧力が低い程または前記循環手段の循環流量が少ない程取り出し電流が減少するように前記電流制御手段の制御内容の指令を補正する
ことを特徴とする請求項１２に記載の燃料電池システム。
【請求項１４】
前記運転状態量検知手段は、前記燃料電池から取り出される取り出し電流の運転状態量を検知し、
前記指令手段は、前記要求発電電力検知手段で検知された要求発電電力に基づいて、前記燃料ガス供給手段の運転状態を指令し、
前記指令補正手段は、前記運転状態量検知手段で検知された取り出し電流の運転状態量に基づいて、前記燃料ガス供給手段の運転状態の指令を補正し、
前記制御手段は、前記指令手段の指令または前記指令補正手段の補正指令に基づいて、前記燃料ガス供給手段の運転状態を制御する
ことを特徴とする請求項１に記載の燃料電池システム。
【請求項１５】
前記指令補正手段は、取り出し電流が多くなる程燃料ガス入口圧力が上昇するように前記燃料ガス供給手段の運転状態の指令を補正する
ことを特徴とする請求項１４に記載の燃料電池システム。
【請求項１６】
燃料ガス供給手段により供給される燃料ガスと、酸化剤ガス供給手段により供給される酸化剤ガスとの電気化学反応により発電を行う燃料電池を備えた燃料電池システムにおいて、
前記燃料電池に要求される発電電力を検知する要求発電電力検知手段と、
前記燃料電池の燃料ガス出口圧力を検知する検知手段と、
前記要求発電電力検知手段で検知された要求発電電力に基づいて、前記燃料ガス供給手段の運転状態を指令する指令手段と、
前記検知手段で検知された燃料ガス出口圧力が低下した場合に、燃料ガス入口圧力が上昇するように前記燃料ガス供給手段の運転状態の指令を補正する指令補正手段と、
前記指令手段の指令または前記指令補正手段の補正指令に基づいて、前記燃料ガス供給手段の運転状態を制御する制御手段と
を有することを特徴とする燃料電池システム。
【発明の詳細な説明】
【技術分野】
【０００１】
本発明は、燃料電池から排出された未使用の燃料ガスを燃料電池の入口側に戻して循環
させる構成を備えた燃料電池システムに関する。
【背景技術】
【０００２】
一般に、燃料電池は水素等の燃料ガスと空気等の酸化剤ガスを電気化学的に反応させることにより、燃料のもつ化学反応エネルギーを電気エネルギーに変換する装置であり、その一つとして、電解質に固体高分子膜を用いた固体高分子型の燃料電池が知られている。
【０００３】
このような燃料電池において安定した発電を行うために、燃料ガスの例えば水素の供給量は、発電に必要な量より多く燃料極側へ供給する必要があり、燃料電池出口からは、化学反応しなかった余剰（未使用）水素が排出される。したがって、水素の利用効率を上げるためには、燃料電池から排出される未使用水素を電動ポンプなどの循環装置により、再び供給側へ循環させる燃料電池システムが知られている。
【０００４】
このような水素を循環させる燃料電池システムにおいて、酸化剤ガスとして空気を用いる場合には、燃料電池の電解質膜などを介して、空気中に含まれる窒素などの不純物が酸化剤極から燃料極へ透過し、循環流路内に蓄積される。この結果、燃料電池内の水素濃度が低下し、出力が低下したり循環装置による水素の循環量が低下するために、安定した発電が困難になる。
【０００５】
そこで、このような問題に対処するために、水素循環路から窒素等の不純物をシステム外部に排出（パージ）することが考えられる。例えば、排出弁を循環路に付加し、適宜排出弁を開放することで、循環路内に溜まった不純物を外部に排出する。しかし、不純物と水素を完全に分離することはできないため、不純物を排出する際に、水素も一緒に排出されてしまう。したがって、不純物を排出する際に排出弁を開放しすぎると、水素を過剰に排出するに至り、水素の利用率が下がってしまう。
【０００６】
そこで、この不具合を回避する技術として、例えば以下に示す文献に記載されたものが知られている（特許文献１参照）。この文献に記載された技術では、排出弁の開度、排出弁を流れる気体流量、循環路圧力、温度等を推定する、もしくは計測することによって循環路内の窒素濃度を推定し、推定した窒素濃度に応じて排出弁の開度を変化させることで、水素流量を変化させて排出水素を最小限に抑えている。
【特許文献１】特開２００４−１８５８９７４
【発明の開示】
【発明が解決しようとする課題】
【０００７】
上記従来の燃料電池システムにおいて、燃料電池と水素を循環させる循環装置との間に排出弁を設けることで、燃料電池から排出される気体の一部を排出し、残りを循環装置により循環させることが可能となる。これにより、循環装置で循環させる気体流量が少なくなり、循環装置の簡素化や、循環装置が電動機で駆動される場合には、消費電力を低減することができる。
【０００８】
しかし循環装置が、昇圧することによって気体を循環させる装置である燃料電池システムでは、循環流量が発電電力に対して過剰な場合には、燃料電池での圧力損失が増加し、燃料電池出口の水素圧力が低下することになる。排出弁から排出される気体の流量は、排出弁の上流と下流との差圧で決まるため、燃料電池出口の水素圧力が低下すると、燃料電池の水素出口側の排出路に設けられた排出弁の上流側の圧力も低下することになる。これにより、排出弁の上流側の圧力が下流側の圧力よりも低くなり、排出弁を介して循環路に溜まった不純物を外部に放出することができず、循環気体中に含まれる不純物の割合が多くなり、安定した発電ができなくなるおそれがあった。
【０００９】
一方、例えば循環ポンプの回転数が低く循環水素流量が充分でない場合に、燃料電池から取り出される取り出し電流を増加させると、過渡的に燃料電池へ供給される発電に必要な水素流量が不足するため、出力が低下して発電が不安定になるおそれがあった。また、循環水素流量が十分に確保できない状態で電流を取り出すと、燃料電池本体を構成する電解質膜に設けられた触媒が劣化し、性能が低下するおそれもあった。
【００１０】
そこで、本発明は、上記に鑑みてなされたものであり、その目的とするところは、燃料ガスの供給と発電出力との最適化を図り、発電出力の安定化もしくは性能低下の防止を達成する燃料電池システムを提供することにある。
【課題を解決するための手段】
【００１１】
上記目的を達成するために、本発明の課題を解決する手段は、燃料ガス供給手段により供給される燃料ガスと、酸化剤ガス供給手段により供給される酸化剤ガスとの電気化学反応により発電を行う燃料電池と、前記燃料電池から排出された未使用の燃料ガスを前記燃料電池に再供給して循環させる循環手段とを備えた燃料電池システムにおいて、前記燃料電池に要求される発電電力を検知する要求発電電力検知手段と、前記燃料電池システムの運転の状態を示す運転状態量を検知する運転状態量検知手段と、前記要求発電電力検知手段で検知された要求発電電力に基づいて、前記循環手段の運転状態を指令する指令手段と、前記運転状態量検知手段で検知された運転状態量に基づいて、前記指令手段の指令内容を補正する指令補正手段と、前記指令手段の指令または前記指令補正手段の補正指令に基づいて、前記循環手段の運転状態を制御する制御手段とを有することを特徴とする。
【発明の効果】
【００１２】
本発明によれば、燃料ガス流通系の不純物濃度が上昇し、燃料ガス流通系の圧力が低下した場合であっても、不純物をシステム外に排出可能な圧力を確保して不純物の排出が可能となり、安定した発電を行うことができる。
【００１３】
本発明によれば、燃料ガスの供給量と取り出し電流量との最適化を図り、燃料電池の性能劣化を防止することができる。
【発明を実施するための最良の形態】
【００１４】
以下、図面を用いて本発明を実施するための最良の実施例を説明する。
【実施例１】
【００１５】
図１は本発明の実施例１〜実施例５に係る燃料電池システムに共通した基本機能を示す図である。図１において、基本機能は要求発電電力検知手段１０１、稼動状態指令手段１０２、稼動状態指令補正手段１０３ならびに燃料電池システム運転状態検知手段１０４を有している。
【００１６】
要求発電電力検知手段１０１は、本燃料電池システムに要求される発電電力を検知する手段であり、検知した要求発電電力を稼動状態指令手段１０２に与える。
【００１７】
稼動状態指令手段１０２は、要求発電電力検知手段１０１から与えられた要求発電電力に応じて、燃料ガスの水素を循環させる循環装置として機能する循環ポンプの目標稼動状態、または燃料電池に供給される燃料ガスとなる水素の供給流量を制御する供給制御装置として機能する水素供給弁の目標稼動状態、もしくは燃料電池から電流を取り出す電流取り出し装置の目標稼動状態を決定し、決定した目標稼動状態で稼動する旨上記対応する装置に指令を与える。
【００１８】
稼動状態指令補正手段１０３は、稼動状態指令手段１０２から出力された指令を受けて、この指令を燃料電池システムの運転状態に基づいて補正し、補正した指令を上記対応する装置に与える。
【００１９】
燃料電池システム運転状態検知手段１０４は、稼動状態指令手段１０２から出力された指令を補正するのに必要な、燃料電池入口、出口の水素圧力、取り出し電流、循環ポンプの回転数等の燃料電池システムの運転状態を検知し、検知した運転状態を稼動状態指令補正手段１０３に与える。
【００２０】
図２はこの発明の実施例１〜実施例５に係る燃料電池システムの構成を示す図である。図２において、本発明の燃料電池システムは、電力を得る燃料電池１を備え、燃料電池１は、アノード極に燃料ガスとなる水素ガスが供給され、カソード極に酸化剤ガスとなる酸素を含む空気が供給され、以下に示す電極反応が進行され、電力が発電される。
【００２１】
（化１）
アノード極：Ｈ２→２Ｈ＋＋２ｅ− 
カソード極：２Ｈ＋＋２ｅ−＋（１／２）Ｏ２→Ｈ２Ｏ
アノード極への水素供給は水素タンク２から水素タンク元弁３、減圧弁１６、水素供給弁４を介してなされる。水素タンク２から供給される高圧水素は、減圧弁１６で機械的に所定の圧力まで減圧され、燃料電池入口での水素圧力が所望の水素供給量を満たすような所望の水素圧力となるように、燃料電池１の水素入口に設けられた圧力センサ６ａで検出された水素圧力に基づいて水素供給弁４の開度制御で行われる。
【００２２】
水素循環ポンプ５は、燃料電池１のアノード極で消費されずに燃料電池１から排出された水素を燃料電池１の入口側に戻して再循環させる。水素循環ポンプ５は電動機によって駆動され、水素循環ポンプ５の回転数が回転数センサ９によって検知される。
【００２３】
燃料電池１のカソード極への空気は、コンプレッサ１０により加圧されて供給される。燃料電池１の空気出口側に設けられた空気調圧弁１４は、空気入口側に設けられた圧力センサ６ｃで検出された圧力に基づいてカソード極の空気圧力を調整制御し、例えば燃料電池１から取り出す電力を大きくしたい場合には、燃料電池１に供給される空気を加圧することによって、取り出し可能なエネルギー密度へ燃料電池１内の化学反応を上げる。
【００２４】
パワーマネージャー８は、燃料電池１から電力を取り出して、例えば移動体を駆動するモータ（図示せず）等の負荷に電力を供給する、パワーマネージャー８には、電力を取り出す制御のために、燃料電池１から取り出す電流を計測する機能を備えている。電圧センサ１２は、燃料電池１の単電池（セル）毎もしくは複数電池毎の電圧を測定する。
【００２５】
燃料電池１のカソード極側に空気を供給するため、化学反応しない窒素が電解質膜を透過して水素経路内に蓄積される。窒素量が多くなりすぎると、水素循環ポンプ５によって水素を循環させることができなくなるため、循環経路内の窒素量を管理する必要がある。したがって、燃料電池１の水素出口側の排出路１７に設けられたパージ弁７を開放することで循環経路内の窒素をシステムの外部に排出し、水素流通経路内に存在する窒素量を循環性能が維持できるレベルに制御する。
【００２６】
圧力センサ６ｂは、燃料電池１の水素出口側に設けられ、水素が循環する循環路の気体の圧力を測定する。湿度センサ１１は循環路内の気体の湿度を測定し、温度センサ１３は循環路内の気体の温度を測定し、水素濃度センサ１５は、循環路の水素濃度を測定する。
【００２７】
コントローラ３０は、本システムの運転を制御する制御中枢として機能し、プログラムに基づいて各種動作処理を制御するコンピュータに必要な、ＣＰＵ、記憶装置、入出力装置等の資源を備えた例えばマイクロコンピュータ等により実現される。コントローラ３０は、上記各センサならびにこれらのセンサで得られない他の圧力、温度、濃度、電圧、電流等本システムの運転に必要な情報を収集するセンサ（図示せず）からの信号を読み込み、読み込んだ各種信号ならびに予め内部に保有する制御ロジック（プログラム）に基づいて、水素供給弁４、水素循環ポンプ５、パワーマネージャー８、コンプレッサ１０、空気調圧弁１４を含む本システムの制御を要する構成要素に指令を送り、以下に説明する水素の供給動作、電流取り出し制御を含む本システムの運転／停止に必要なすべての動作を統括管理して制御する。
【００２８】
図３は本発明の実施例１〜実施例５に係る制御処理を実行する際に必要となる手段を表したコントローラ３０の構成を示す図である。図３において、コントローラ３０は、燃料電池１に要求される発電電力を検知する要求発電電力検知部３１と、水素循環ポンプ５の目標回転数を決定する循環ポンプ目標回転数決定部３２と、燃料ガスの水素の供給量を決定し、水素供給弁４の開度を制御する水素供給弁目標開度決定部３３を備えている。
【００２９】
また、コントローラ３０は、パワーマネージャー８で燃料電池１から取り出す電流を制御する目標取り出し電流決定部３４と、圧力センサ６ａ、６ｂ、温度センサ１３などの各センサの値を検出する燃料電池システム状態検出部３５と、循環ポンプ目標回転数決定部３２で決定された目標回転数に補正を加える循環ポンプ目標回転数補正部３６を備えている。
【００３０】
さらに、コントローラ３０は、パージ弁７の開閉動作を制御するパージ弁制御部３７と、水素供給弁目標開度決定部３３で決定された水素供給弁４の目標開度を補正する水素供給弁目標開度補正部３８と、目標取り出し電流決定部３４で決定されたパワーマネージャー８の目標取り出し電流を補正する目標取り出し電流補正部３９を備えている。
【００３１】
要求発電電力検知部３１は、燃料電池１を発電機のように直接エネルギー供給源として用いる、若しくは移動体の駆動力へのエネルギー供給源のように間接的に燃料電池１をエネルギー供給源として用いる際の燃料電池１への要求発電電力を検知する。
【００３２】
循環ポンプ目標回転数決定部３２は、要求発電電力検知部３１で検知した要求発電電力に基づいて、安定した発電を行うために必要な循環水素流量を実現する、水素循環ポンプ５の目標回転数を決定する。水素循環ポンプ５は、実際の回転数を決定された目標回転数に制御する制御手段を備えている。
【００３３】
水素供給弁目標開度決定部３３は、要求発電電力検知部３１で検知した要求発電電力に基づいて、発電のために必要な水素供給量と目標発電電力を満たすように、達成すべきエネルギー密度となる燃料電池１の水素供給目標圧力を決定する。水素供給弁目標開度決定部３３は、圧力センサ６ａの検出値に基づいて、決定した目標圧力を満たすように水素供給弁４の目標開度を決定する。水素供給弁４は実際の開度を目標開度に制御する制御手段を備えている。
【００３４】
目標取り出し電流決定部３４は、要求発電電力検知部３１で検知した要求発電電力に基づいて、パワーマネージャー８で目標発電電力を取り出すための目標取り出し電流を決定する。パワーマネージャー８は、実際の取り出し電流を目標取り出し電流に制御する制御手段を備えている。
【００３５】
燃料電池システム状態検出部３５は、圧力センサ６ａ、６ｂ、湿度センサ１１、温度センサ１３、水素濃度センサ１５ならびに回転数センサ９などの各センサの値を検出する。  循環ポンプ目標回転数補正部３６は、燃料電池システム状態検出部３５で検出された値に基づいて、循環ポンプ目標回転数決定部３２で決定された目標回転数に補正を加える。
【００３６】
パージ弁制御部３７は、水素循環路内に蓄積される窒素および水蒸気を含む不純物によって発電に支障をきたさないように、燃料電池システム状態検出部３５で検出された検出値に基づいて、パージ弁７の開時間および閉時間を決定する。
【００３７】
水素供給弁目標開度補正部３８は、燃料電池システム状態検出部３５で検出された検出値に基づいて、水素供給弁目標開度補正部３８で決定された目標開度を補正する。
【００３８】
目標取り出し電流補正部３９は、燃料電池システム状態検出部３５で検出された検出値に基づいて、目標取り出し電流決定部３４で決定された目標取り出し電流を補正する。
【００３９】
図４は実施例１に係る水素の循環動作の処理手順を示すフローチャートである。図４において、先ず要求発電電力検知部３１で燃料電池１への要求発電電力を検知する（ステップＳ４０１）。
【００４０】
その後、循環ポンプ目標回転数決定部３２において、要求発電電力に基づいて要求発電電力を発電するために燃料電池１から取り出す電流を計算し、算出した取り出し電流に基づいて安定した発電を行うために必要な循環水素流量を求める。続いて、パージ弁７のパージ制御によって水素経路内の水素量、水蒸気量ならびに窒素量が目標値に管理されているものとして、必要な循環水素流量を実現するための循環ガス流量を求める。なお、水素経路内の水素量、水蒸気量ならびに窒素量は、水素系路内の体積を設計値から求め、水素経路の水素濃度を計測することで求めることができる。引き続いて、循環ガス流量を実現するための水素循環ポンプ５の目標回転数（第１の目標回転数Ｒ１）を決定する。ここで、パージ制御の誤差を考慮して、第１の目標回転数Ｒ１を必要量に対して高く設定する（ステップＳ４０２）。
【００４１】
次に、水素供給弁目標開度決定部３３において、要求発電電力に基づいて、要求発電電力を発電するために燃料電池１から取り出す電流と、取り出し電流を実現するために燃料電池１に供給する水素の圧力を計算する。続いて、算出された水素圧力を実現するために必要な水素供給量を算出し、この水素供給量を実現するための水素供給弁４の目標開度を決定する（ステップＳ４０３）。
【００４２】
次に、目標取り出し電流決定部３４において、要求発電電力に基づいて要求発電電力を発電するために燃料電池１から取り出す電流を計算し、算出された電流をパワーマネージャー８の目標取り出し電流とする（ステップＳ４０４）。
【００４３】
次に、燃料電池システム状態検出部３５において、燃料電池システムの状態を検出する。ここでは、圧力センサ６ｂで検出された燃料電池１の水素出口圧力を参照する。さらに、取り出し電流または圧力センサ６ｂ、湿度センサ１１、温度センサ１３、水素濃度センサ１５の検出値に基づいて、パージ弁７のパージ制御によって水素循環系の気体が目標としているガス成分になっているかを判断する（ステップＳ４０５）。
【００４４】
なお、圧力センサ６ｂを備えていないシステムにおいては、水素循環ポンプ５の回転数センサ９で検出された回転数に基づいて水素循環系の循環ガス流量を推定し、この循環ガス流量が流れた場合の燃料電池１での圧力損失を計算し、この圧力損失と圧力センサ６ａで検出された燃料電池１の水素入口圧力との差をとることで、燃料電池１の水素出口圧力を推定してもよい。
【００４５】
あるいは、水素供給弁４の開度、ならびにパワーマネージャー８の取り出し電流に基づいて燃料電池１に供給される水素の供給量を計算し、この水素供給量を上記水素出口圧力の推定に用いることで、水素が流れることによる燃料電池１での圧力損失も考慮することができる。これにより、推定精度を上げることができる。
【００４６】
次に、循環ポンプ目標回転数補正部３６において、圧力センサ６ｂ、湿度センサ１１、温度センサ１３ならびに水素濃度センサ１５の検出値に基づいて、現在のガス成分から循環水素流量を実現するための循環ガス流量を算出し、算出した循環ガス流量を実現するための水素循環ポンプ５の目標回転数（第２の目標回転数Ｒ２）を計算する（ステップＳ４０６）。
【００４７】
次に、この第２の目標回転数Ｒ２と、先のステップＳ４０２で求めた第１の目標回転数Ｒ１とを比較する（ステップＳ４０７）。
【００４８】
比較結果において、第１の目標回転数Ｒ１が第２の目標回転数Ｒ２より大きい場合は、燃料電池１の水素出口圧力Ｐ１、もしくはその推定値が、パージによって水素循環路から不純物を排出することが可能な圧力Ｐ２よりも大きいか否かを判別する（ステップＳ４０８）。
【００４９】
水素循環路に溜まった不純物をパージして排出できるか否かは、カソード極からアノード極へクロスリークする窒素量を基準に用いる。クロスリークする窒素量は、図５に示すように、カソード極とアノード極との窒素分圧差と、電解質膜の窒素透過係数との積で求める。
【００５０】
カソード極の窒素分圧は、コンプレッサ１０で吸入する空気の組成（通常であれば窒素濃度０．７９程度）と、圧力センサ６ｃで検出された燃料電池１の空気入口圧力との積で算出することができる。一方、アノード極の窒素分圧は、圧力センサ６ｂ、湿度センサ１１、温度センサ１３ならびに水素濃度センサ１５の検出値に基づいて求める。燃料電池１の電解質膜の窒素透過係数は予め実験で求めておく。
【００５１】
このようにして求められた窒素透過量と、圧力センサ６ｂ、湿度センサ１１、温度センサ１３ならびに水素濃度センサ１５の検出値とに基づいてパージ流量を算出し、このパージ流量を流すために必要な燃料電池１の水素出口圧力Ｐ２を求める。パージを行うために必要な燃料電池１の水素出口圧力Ｐ２は、図６（ａ）に示すようになり、そのときの水素入口圧力、水素出口圧力、水素循環ポンプ５の回転数ならびに発電量の時間変化は同図（ａ）、（ｂ）、（ｃ）に示すようになる。
【００５２】
図４に戻って、先のステップＳ４０８の判別結果において、水素出口圧力Ｐ１が不純物パージ可能な水素出口圧力Ｐ２よりも小さい場合は、燃料電池１の水素出口圧力Ｐ１が下がりすぎたことを受けて、水素循環ポンプ５の目標回転数をステップＳ４０２で決定した目標回転数に対して低下するように補正を加え、水素出口圧力Ｐ１を上昇させる（ステップＳ４０９）。
【００５３】
このときの低下量は、圧力Ｐ１と圧力Ｐ２との圧力差に応じて実験的に決めてもよい。もしくは、先のステップＳ４０６で算出した循環ガス流量が実現できる最低の回転数である第２の目標回転数Ｒ２を目安に、先のステップＳ４０２で算出した第１の目標回転数Ｒ１に対して補正を加えるようにしてもよい。このとき、目標回転数を一度に第２の目標回転数Ｒ２まで下げることも可能であるが、変動が生じたときに補正が過度になって振動することになるため、この調整の制御方法は予め実験等を行った結果に基づいて決める。
【００５４】
一方、先のステップＳ４０７の比較結果において、第１の目標回転数Ｒ１が第２の目標回転数Ｒ２より小さい場合は、続いて先のステップＳ４０８と同様に、水素出口圧力Ｐ１が不純物パージ可能な水素出口圧力Ｐ２よりも小さいか否かを判別する（ステップＳ４１０）。
【００５５】
判別の結果、水素出口圧力Ｐ１が不純物パージ可能な水素出口圧力Ｐ２よりも小さい場合には、先のステップＳ４０６の判別結果の後水素循環ポンプ５の目標回転数を下げると、必要な循環水素流量が実現できなくなると判断されるため、水素循環ポンプ５の目標回転数を下げることを禁止して、循環水素量を確保するようにする（ステップＳ４１１）。一方、圧力Ｐ１が圧力Ｐ２よりも大きな場合には、この処理手順の最初の処理に戻りステップＳ４０１に示す処理を行う。
【００５６】
水素出口圧力Ｐ１が不純物パージ可能な水素出口圧力Ｐ２よりも小さ場合に、水素循環ポンプ５の目標回転数の低下を禁止して、水素循環ポンプ５の回転数を下げないで燃料電池１の水素出口圧力を上げるためには、水素供給弁４の目標開度を増加させる（ステップＳ４１２）。これにより、燃料電池１への水素供給量が増加して燃料電池１の水素入口圧力が上がり、水素出口圧力Ｐ１も上昇し、パージ弁７を介して不純物のパージが可能となる。
【００５７】
このように、上記実施例１においては、要求発電電力に基づいて水素循環ポンプ５の目標回転数を算出し、算出した目標回転数を燃料電池システムの運転状態量を用いて補正して新たな目標回転数を決定し、燃料電池システムの運転状態量として、燃料電池１の水素入口圧力、もしくは燃料電池１の水素出口圧力を用いるようにしている。これにより、水素経路内の不純物濃度が設計で想定した値より上昇し、かつ水素系内の圧力が外乱要素、例えば非線形要素による圧力制御誤差、取り出し電流の変化による圧力挙動への影響等により低下した場合においても、燃料電池１の水素出口圧力をパージ可能な圧力以上に確保することが可能となる。この結果、水素循環系に溜まった不純物を適宜システム外に排出することができ、安定した発電が可能となる。
【００５８】
燃料電池システムの運転状態量として、燃料電池１の水素入口圧力と、水素循環ポンプ５の目標回転数に基づいて燃料電池１の水素出口圧力を推定し、この推定値に基づいて水素循環ポンプ５の目標回転数を補正して新たな目標回転数を決定することで、燃料電池１の水素出口圧力を確保して不純物排出が可能となり、安定した発電が可能となる。
【００５９】
燃料電池１の水素出口圧力の推定値が低下するほど、水素循環ポンプ５における揚程が減少するように水素循環ポンプ５の目標回転数を補正することで、燃料電池１の水素出口圧力が低下した場合には、出口圧力が増加するように水素循環ポンプ５の目標回転数を補正することが可能となり、不純物の排出が可能となる。
【００６０】
要求発電電力に基づいて水素供給弁４の目標開度を決定し、燃料電池システムの運転状態量として燃料電池１の水素入口圧力と水素循環ポンプ５の回転数に基づいて燃料電池１の水素出口圧力を推定し、この推定値に基づいて水素供給弁４の目標開度を補正して新たな目標開度を決定することで、水素循環流量を確保するために水素循環ポンプ５の揚程が減少するように目標回転数を補正できない場合であっても、水素供給量を増やすことが可能となり、燃料電池１の水素出口圧力を増加させ、安定した不純物の排出が可能となる。
【００６１】
水素循環ポンプ５の目標回転数の低下を禁止する一方、燃料電池１の水素入口圧力ならびに水素循環ポンプ５の回転数に基づいて、推定した燃料電池１の水素出口圧力が低下するほど水素入口圧力が増加するように水素供給弁４の目標開度を補正することで、水素循環ポンプ５の目標回転数を補正することによる燃料電池１の水素出口圧力の増加効果と、水素供給弁４の目標開度の補正効果との干渉を防止することができる。
【００６２】
燃料電池システムの運転状態量として燃料電池１の水素出口圧力に基づいて、水素循環ポンプ５の目標回転数を補正して新たな目標回転数を決定することで、直接燃料電池１の水素出口圧力を管理制御することが可能となり、制御の精度を上げることができる。
【００６３】
燃料電池１の水素出口圧力が低下するほど水素循環ポンプ５の揚程が減少するように、水素循環ポンプ５の目標回転数を補正することで、水素出口圧力を増加することが可能となり、不純物の排出が可能となる。
【００６４】
要求発電電力に基づいて水素供給弁４の目標開度を決定し、燃料電池システムの運転状態量として燃料電池１の水素出口圧力に基づいて、水素供給弁４の目標開度に補正を加えて新たな目標開度を決定することで、水素の循環流量を確保するために水素循環ポンプ５の揚程が減少するように水素循環ポンプ５の回転数を補正できない場合であっても、水素供給量を増やすことが可能となる。これにより、燃料電池１の水素出口圧力を増加させることが可能となり、安定した不純物の排出ができる。また、燃料電池１の水素出口圧力を直接管理制御することで、制御の精度を上げることができる。
【００６５】
水素循環ポンプ５の目標回転数の低下を禁止する一方、水素出口圧力が低下した場合に水素出口圧力が増加するように水素供給弁４の目標開度を補正することで、水素循環ポンプ５の目標回転数を補正する際に、水素出口圧力の増加効果と水素供給弁４の目標開度の補正効果との干渉を防止することができる。
【実施例２】
【００６６】
図７はこの発明の実施例２に係る水素の循環環境の制御手順を示すフローチャートである。図７において、先ず要求発電電力検知部３１で燃料電池１への要求発電電力を検知する（ステップＳ７０１）。
【００６７】
その後、循環ポンプ目標回転数決定部３２において、要求発電電力に基づいて要求発電電力を発電するために燃料電池１から取り出す電流を計算し、算出した取り出し電流に基づいて安定した発電を行うために必要な循環水素流量を求める。続いて、パージ弁７のパージ制御によって水素経路内の水素量、水蒸気量ならびに窒素量が目標値に管理されているものとして、必要な循環水素流量を実現するための循環ガス流量を求める。なお、水素経路内の水素量、水蒸気量ならびに窒素量は、水素系路内の体積を設計値から求め、水素経路の水素濃度を計測することで求めることができる。引き続いて、循環ガス流量を実現するための水素循環ポンプ５の目標回転数（第１の目標回転数Ｒ１）を決定する。ここで、パージ制御の誤差を考慮して、第１の目標回転数Ｒ１を必要量に対して高く設定する（ステップＳ７０２）。
【００６８】
なお、要求発電電力に対応した目標取り出し電流は、予め求められた燃料電池１の電力−電流変換特性の元になる燃料電池１の水素圧力に対応した電流として求められる。
【００６９】
次に、水素供給弁目標開度決定部３３において、要求発電電力に基づいて、要求発電電力を発電するために燃料電池１から取り出す電流と、取り出し電流を実現するために燃料電池１に供給する水素の圧力を計算する。続いて、算出された水素圧力を実現するために必要な水素供給量を算出し、この水素供給量を実現するための水素供給弁４の目標開度を決定する（ステップＳ７０３）。
【００７０】
次に、目標取り出し電流決定部３４において、要求発電電力に基づいて要求発電電力を発電するために燃料電池１から取り出す電流を計算し、算出された電流をパワーマネージャー８の目標取り出し電流とする（ステップＳ７０４）。
【００７１】
次に、燃料電池システム状態検出部３５において、燃料電池システムの状態を検出する。ここでは、パワーマネージャー８で取り出される取り出し電流の値と、圧力センサ６ａで検出された燃料電池１の水素入口圧力を参照する（ステップＳ７０５）。
【００７２】
次に、先のステップＳ７０２で水素循環ポンプ５の第１の目標回転数Ｒ１を決定した際の基となった目標取り出し電流と、実際の取り出し電流（実取り出し電流）とを比較する（ステップＳ７０６）。
【００７３】
比較結果において、実取り出し電流＞目標取り出し電流である場合は、先のステップＳ７０２で決定された水素循環ポンプ５の第１の目標回転数Ｒ１に補正を加え、新たな目標回転数（第２の目標回転数）Ｒ２を計算する（ステップＳ７０７）。補正の加え方は、先のステップＳ７０２で計算に用いた取り出し電流と実取り出し電流とを比較し、比較結果に基づいて実験的に補正量を決めてもよいし、先のステップＳ７０５で計測した取り出し電流の値に基づいて、再度目標回転数を計算するようにしてもよい。
【００７４】
次に、先のステップＳ７０２で決定した循環ガス流量を流したときに、燃料電池１の水素入口圧力に応じてガス密度が変わり、ガス密度が高いと圧力損失が大きくなり、水素循環ポンプ５の吐出流量が減少する。このため、先のステップＳ７０２で計算に用いた燃料電池１の水素入口圧力と実際の燃料電池１の水素入口圧力とを比較する（ステップＳ７０８）。
【００７５】
次に、比較結果において、実水素入口圧力が目標取り出し電流を算出する際に用いた水素入口圧力よりも低い場合は、その圧力差に応じて水素循環ポンプ５の目標回転数に補正を加えて増加させる。一方、実水素入口圧力が、先のステップＳ７０２で目標取り出し電流を算出する際に用いた水素入口圧力よりも高い場合は、この処理手順の最初の処理に戻りステップＳ７０１に示す処理を実行する。
【００７６】
なお、図７に示す処理手順では、ステップＳ７０６、Ｓ７０７と、ステップＳ７０８、Ｓ７０９との双方を行う場合を示したが、いずれか一方のみを実行するのでもよい。
【００７７】
このように、上記実施例２においては、燃料電池１の水素入口圧力もしくは目標取り出し電流の少なくとも一方に基づいて水素循環ポンプ５の目標回転数を増加補正することで、制御誤差などで水素圧力が低く水素濃度が低い場合や、取り出し電流が大きくなり循環水素流量の増量が必要な場合でも、水素循環ポンプ５の目標回転数を高めることが可能となる。これにより要求発電電力に必要な循環水素流量を確保することが可能となり、安定した発電を行うことができる。
【００７８】
燃料電池１の水素入口圧力が低いほど、ならびに取り出し電流が大きいほど、循環水素流量が増加するように水素循環ポンプ５の目標回転数を補正することで、制御誤差に応じて水素循環ポンプ５の目標回転数を調整することが可能となり、安定した発電を行うことができる。
【実施例３】
【００７９】
図８はこの発明の実施例３に係る水素の循環環境の制御手順を示すフローチャートである。図８において、先ず要求発電電力検知部３１で燃料電池１への要求発電電力を検知する（ステップＳ８０１）。
【００８０】
その後、循環ポンプ目標回転数決定部３２において、要求発電電力に基づいて要求発電電力を発電するために燃料電池１から取り出す電流を計算し、算出した取り出し電流に基づいて安定した発電を行うために必要な循環水素流量を求める。続いて、パージ弁７のパージ制御によって水素経路内の水素量、水蒸気量ならびに窒素量が目標値に管理されているものとして、必要な循環水素流量を実現するための循環ガス流量を求める。なお、水素経路内の水素量、水蒸気量ならびに窒素量は、水素系路内の体積を設計値から求め、水素経路の水素濃度を計測することで求めることができる。引き続いて、循環ガス流量を実現するための水素循環ポンプ５の目標回転数（第１の目標回転数Ｒ１）を決定する。ここで、パージ制御の誤差を考慮して、第１の目標回転数Ｒ１を必要量に対して高く設定する（ステップＳ８０２）。
【００８１】
なお、要求発電電力に対応した目標取り出し電流は、予め求められた燃料電池１の電力−電流変換特性の元になる燃料電池１の水素圧力に対応した電流として求められる。
【００８２】
次に、水素供給弁目標開度決定部３３において、要求発電電力に基づいて、要求発電電力を発電するために燃料電池１から取り出す電流と、取り出し電流を実現するために燃料電池１に供給する水素の圧力を計算する。続いて、算出された水素圧力を実現するために必要な水素供給量を算出し、この水素供給量を実現するための水素供給弁４の目標開度を決定する（ステップＳ８０３）。
【００８３】
次に、目標取り出し電流決定部３４において、要求発電電力に基づいて要求発電電力を発電するために燃料電池１から取り出す電流を計算し、算出された電流をパワーマネージャー８の目標取り出し電流とする（ステップＳ８０４）。
【００８４】
次に、燃料電池システム状態検出部３５において、燃料電池システムの状態を検出する。ここでは、回転数センサ９で検出された水素循環ポンプ５の回転数と、圧力センサ６ａで検出された燃料電池１の水素入口圧力を参照する（ステップＳ８０５）。
【００８５】
次に、先のステップＳ８０５で検出した燃料電池１の水素入口圧力と、先のステップＳ８０４で目標取り出し電流を計算するときに用いた、燃料電池１の電力−電流変換特性の元になっている水素圧力とを比較する（ステップＳ８０６）。
【００８６】
比較結果において、検出された水素入口圧力が目標取り出し電流を算出する際に用いた水素圧力よりも低い場合は、先のステップＳ８０４で決定された目標取り出し電流を減少するように補正を加え、新たな目標取り出し電流を計算する（ステップＳ８０７）。補正の加え方は、圧力の比較結果に基づいて実験的に補正量を決めてもよいし、圧力による燃料電池１の電力−電流変換性能の電流の変化率を考慮して、再度目標取り出し電流を計算するようにしてもよい。
【００８７】
次に、先のステップＳ８０５で検出した水素循環ポンプ５の回転数に基づいて、現在の状態の燃料電池１から取り出し可能な取り出し可能電流を計算し、算出された取り出し可能電流と目標取り出し電流とを比較する（ステップＳ８０８）。
【００８８】
次に、取り出し可能電流＜目標取り出し電流である場合は、両電流の差に基づいて先のステップＳ８０７で補正された目標取り出し電流が減少するように補正を加える（ステップＳ８０９）。補正の加え方は、先のステップＳ８０５で検出した水素循環ポンプ５の回転数に基づいて取り出し電流を算出し、算出した電流を最終的な目標取り出し電流とするようにしてもよい。一方、取り出し可能電流＞目標取り出し電流である場合には、この手順の最初の処理に戻りステップＳ８０１を実行する。
【００８９】
なお、この処理手順において、ステップＳ８０６、Ｓ８０７と、ステップＳ８０８、Ｓ８０９との双方を行うようにしているが、いずれか一方のみを実行するようにしてもよい。
【００９０】
このように、上記実施例３においては、燃料電池１の水素入口圧力もしくは水素循環ポンプ５の回転数の少なくとも一方に基づいて目標取り出し電流を補正することで、制御誤差などで水素圧力が低く水素濃度が低い場合や、水素循環ポンプ５の回転数が小さく十分な循環水素流量が確保できていない場合には、取り出し電流を抑えることで燃料電池１の電解質膜に付着してある触媒の劣化反応を防止することができる。
【００９１】
燃料電池１の水素入口圧力が小さいほど、ならびに水素循環ポンプ５の目標回転数が小さいほど、取り出し電流が減少するようにパワーマネージャー８の目標取出し電流を補正することで、触媒の劣化反応を防止することができる。
【実施例４】
【００９２】
図９はこの発明の実施例４に係る水素の循環環境の制御手順を示すフローチャートである。この実施例４は、先の実施例２に比べて図７のステップＳ７０７で示す処理とステップＳ７０８の処理の間に、ステップＳ９０８で示す処理が追加されていることを特徴としている。
【００９３】
したがって、図９において、ステップＳ９０１〜ステップＳ９０７に示す処理は、先の実施例２の図７に示すステップＳ７０１〜ステップＳ７０７に示す処理と同様であり、図９のステップＳ９０９〜ステップＳ９１０に示す処理は、図７のステップＳ７０８〜ステップＳ７０９に示す処理と同様であるので、その説明は省略する。
【００９４】
図９において、ステップＳ９０７で水素循環ポンプ５の回転数を増加させて補正した後、
先のステップＳ９０２で水素循環ポンプ５の第１の目標回転数Ｒ１を決定した際に用いた目標取り出し電流と、検出された実際の取り出し電流とを比較する。比較の結果、実際の取り出し電流が目標取り出し電流よりも大きくなっている場合には、燃料電池１に供給される水素供給量が増加するように、水素供給弁４の目標開度を増加して補正を加える。一方、実際の取り出し電流が目標取り出し電流よりも小さい場合は、水素供給弁４の目標開度の補正は行わない（ステップＳ９０８）。
【００９５】
このように、上記実施例４においては、取り出し電流に基づいて水素供給弁４の目標開度を増加させて補正することで、取り出し電流が過渡的に増大した場合に、水素の供給量を増やすことが可能となる。これにより、水素循環ポンプ５による循環水素流量が急激に増加できない場合でも、燃料電池１へ安定した燃料供給が可能となり、安定した発電を行うことができる。
【００９６】
取り出し電流が大きいほど、水素入口圧力が増加するように水素供給弁４の目標開度を増加させて補正することで、取り出し電流量に応じて水素供給量を増加させることが可能となり、安定した発電が可能となる。
【実施例５】
【００９７】
図１０はこの発明の実施例５に係る水素の循環環境の制御手順を示すフローチャートである。図１０において、先ず要求発電電力検知部３１で燃料電池１への要求発電電力を検知する（ステップＳ１００１）。
【００９８】
その後、循環ポンプ目標回転数決定部３２において、要求発電電力に基づいて要求発電電力を発電するために燃料電池１から取り出す電流を計算し、算出した取り出し電流に基づいて安定した発電を行うために必要な循環水素流量を求める。続いて、パージ弁７のパージ制御によって水素経路内の水素量、水蒸気量ならびに窒素量が目標値に管理されているものとして、必要な循環水素流量を実現するための循環ガス流量を求める。なお、水素経路内の水素量、水蒸気量ならびに窒素量は、水素系路内の体積を設計値から求め、水素経路の水素濃度を計測することで求めることができる。引き続いて、循環ガス流量を実現するための水素循環ポンプ５の目標回転数（第１の目標回転数Ｒ１）を決定する。ここで、パージ制御の誤差を考慮して、第１の目標回転数Ｒ１を必要量に対して高く設定する（ステップＳ１００２）。
【００９９】
なお、要求発電電力に対応した目標取り出し電流は、予め求められた燃料電池１の電力−電流変換特性の元になる燃料電池１の水素圧力に対応した電流として求められる。
【０１００】
次に、水素供給弁目標開度決定部３３において、要求発電電力に基づいて、要求発電電力を発電するために燃料電池１から取り出す電流と、取り出し電流を実現するために燃料電池１に供給する水素の圧力を計算する。続いて、算出された水素圧力を実現するために必要な水素供給量を算出し、この水素供給量を実現するための水素供給弁４の目標開度を決定する（ステップＳ１００３）。
【０１０１】
次に、目標取り出し電流決定部３４において、要求発電電力に基づいて要求発電電力を発電するために燃料電池１から取り出す電流を計算し、算出された電流をパワーマネージャー８の目標取り出し電流とする（ステップＳ１００４）。
【０１０２】
次に、燃料電池システム状態検出部３５において、燃料電池システムの状態を検出する。ここでは、圧力センサ６ｂで検出された燃料電池１の水素出口圧力を参照する（ステップＳ１００５）。なお、検出された水素出口圧力に代えて、先に触れたように水素出口圧力の推定値を求めてこれを用いるようにしてもよい。
【０１０３】
次に、検出された水素出口圧力（もしくはその推定値）Ｐ１が、パージによって不純物を排出することが可能な圧力Ｐ２よりも大きいか否かを判別する（ステップＳ１００６）。なお、圧力Ｐ２は先の実施例１で説明したと同様にして求められる。
【０１０４】
判別の結果、水素出口圧力Ｐ１＜圧力Ｐ２である場合には、両圧力差に基づいて水素供給弁４の目標開度を増加させて補正を加える（ステップＳ１００７）。これにより、燃料電池１の水素入口圧力が上がり、これに伴って水素出口圧力も上昇し、パージにより水素循環路に溜まった不純物をシステム外に排出できる水素出口圧力が確保される。
【０１０５】
このように、上記実施例５においては、燃料電池１の水素出口圧力が低下した場合には、水素入口圧力が増加するように水素供給弁４の目標開度を増加させることで、水素循環ポンプ５の回転数に関係なく水素出口圧力を上昇させることが可能となり、パージにより不純物を排出することが可能となり、安定した発電を行うことができる。
【図面の簡単な説明】
【０１０６】
【図１】本発明の実施例１〜実施例５に係る燃料電池システムに共通した基本機能を示す図である。
【図２】本発明の実施例１〜実施例５に係る燃料電池システムの構成を示す図である。
【図３】本発明の実施例１〜実施例５に係るコントローラの構成を示す図である。
【図４】実施例１に係る水素の循環環境の制御手順を示すフローチャートである。
【図５】燃料電池における窒素の透過を説明するための図である。
【図６】水素循環ポンプと燃料電池の各圧力との関係を示す図である。
【図７】実施例２に係る水素の循環環境の制御手順を示すフローチャートである。
【図８】実施例３に係る水素の循環環境の制御手順を示すフローチャートである。
【図９】実施例４に係る水素の循環環境の制御手順を示すフローチャートである。
【図１０】実施例５に係る水素の循環環境の制御手順を示すフローチャートである。
【符号の説明】
【０１０７】
１…燃料電池
２…水素タンク
３…水素タンク元弁
４…水素供給弁
５…水素循環ポンプ
６ａ，６ｂ，６ｃ…圧力センサ
７…パージ弁
８…パワーマネージャー
９…回転数センサ
１０…コンプレッサ
１１…湿度センサ
１２…電圧センサ
１３…温度センサ
１４…空気調圧弁
１５…水素濃度センサ
１６…減圧弁
１７…排出路
３０…コントローラ
３１…要求発電電力検知部
３２…循環ポンプ目標回転数決定部
３３…水素供給弁目標開度決定部
３４…目標取り出し電流決定部
３５…燃料電池システム状態検出部
３６…循環ポンプ目標回転数補正部
３７…パージ弁制御部
３８…水素供給弁目標開度補正部
３９…目標取り出し電流補正部
１０１…要求発電電力検知手段
１０２…稼動状態指令手段
１０３…稼動状態指令補正手段
１０４…燃料電池システム運転状態検知手段
【図１】
2007066622.tif 000003
【図２】
2007066622.tif 000004
【図３】
2007066622.tif 000005
【図４】
2007066622.tif 000006
【図５】
2007066622.tif 000007
【図６】
2007066622.tif 000008
【図７】
2007066622.tif 000009
【図８】
2007066622.tif 000010
【図９】
2007066622.tif 000011
【図１０】
2007066622.tif 000012